(57)【要約】【課題】客室内や機械室を良好に掃除することができながら、設備費用を抑えることのできる精米設備を提供する。【解決手段】投入部８に投入された被処理米を、被処理米搬送流路を介して精米機１１に搬送して精米する精米設備に、集塵装置４０が設けられ、この集塵装置４０が、被処理米搬送流路としての異物除去部３０にその内部が連通するように接続された流路用吸引ホース４２と、当該精米設備の掃除をする掃除用ホース４３と、空気を吸引する吸引手段４１と、前記吸引手段４１に対して、流路用吸引ホース４２と掃除用ホース４３とを切り換えて接続する切換接続部４４ｂと、を備えた。【選択図】図９
2014166600.tif 000002
【特許請求の範囲】
【請求項１】
投入部に投入された被処理米を、被処理米搬送流路を介して精米機に搬送して精米する精米設備であって、
集塵装置を有し、
前記集塵装置は、
前記被処理米搬送流路にその内部が連通するように接続された流路用吸引ホースと、
当該精米設備の掃除をする掃除用ホースと、
空気を吸引する吸引手段と、
前記吸引手段に対して、前記流路用吸引ホースと前記掃除用ホースとを切り換えて接続する切換接続部と、
を備えたことを特徴とする精米設備。
【請求項２】
制御部が設けられ、
前記制御部により、前記吸引手段が制御されることを特徴とする請求項１記載の精米設備。
【請求項３】
仕切壁により客室と機械室とに仕切られ、
客室と機械室とに自在に持ち込み可能で、前記制御部と制御用信号を入出力するリモートコントローラが設けられ、
前記リモートコントローラにより、前記吸引手段を制御可能に構成されている
ことを特徴とする請求項２に記載の精米設備。
【請求項４】
制御部により、精米処理が行われている際には、前記リモートコントローラによる前記吸引手段に対する制御信号に基づく前記吸引手段の動作が禁止されるよう構成されていることを特徴とする請求項３に記載の精米設備。
【請求項５】
仕切壁により客室と機械室とに仕切られ、
前記機械室に、前記吸引手段および前記切換接続部が配設され、
その一端部が前記客室に臨むように前記機械室側から延ばされ、その他端部が前記切換接続部に接続可能な客室用吸引ホースが設けられ、
前記客室用吸引ホースの一端部に、前記掃除用ホースが接続可能である
ことを特徴とする請求項１〜４の何れか１項に記載の精米設備。
【請求項６】
前記客室用吸引ホースの一端部である客室用接続口が、前記投入部に投入する被処理米を載せる載台の下方に配設されていることを特徴とする請求項５に記載の精米設備。
【請求項７】
前記客室用吸引ホースの一端部である客室用接続口が、ロック可能な開閉扉により開閉されるように構成されていることを特徴とする請求項５または６に記載の精米設備。
【請求項８】
制御部と、投入部の被処理米を検知する投入部検知センサと、投入部に投入された被処理米を下流側に搬送するために上方に移送する張込昇降機と、が設けられ、
前記被処理米搬送流路における前記張込昇降機の下流に連通するように、前記流路用吸引ホースが接続され、
前記制御部は、前記投入部検知センサにより投入部の被処理米の量が所定量よりも減少したことを検知すると、前記張込昇降機は継続して駆動しながら、前記吸引手段を停止させることを特徴とする請求項１〜７の何れか１項に記載の精米設備。
【請求項９】
前記被処理米搬送流路における前記流路用吸引ホースが接続された箇所と連通する部分に空気を取り入れる吸気口が形成されていることを特徴とする請求項１〜８の何れか１項に記載の精米設備。
【請求項１０】
前記被処理米搬送流路における前記流路用吸引ホースが接続された箇所と連通する部分に開口面積を調整可能な調整吸気口が形成されていることを特徴とする請求項１〜９の何れか１項に記載の精米設備。
【請求項１１】
前記吸引手段が、吸引した埃を溜める埃貯留部を有するとともに、
前記吸引手段よりも吸引通路の上流側に、吸引した埃などを溜めるサイクロンが配設され、
前記サイクロンに溜められた貯留物が満杯になった場合のみ、埃を前記吸引手段の埃貯留部に溜めるよう構成されている
ことを特徴とする請求項１〜１０の何れか１項に記載の精米設備。
【請求項１２】
前記流路用吸引ホースが、石抜き装置よりも、被処理米の流れ方向の上流に配設された異物除去部に接続されていることを特徴とする請求項１〜１１の何れか１項に記載の精米設備。
【請求項１３】
切換接続部にホースが接続されていることまたは接続されているホースの種類の少なくとも一方を検知する検知手段を設け、
掃除動作を指示するための手動による指示信号が制御部に入力された際あるいは、掃除動作を終了する際の動作時に、適したホースが前記切換接続部に接続されていない場合には、制御部により警報動作が行われるよう構成されていることを特徴とする請求項１〜１２の何れか１項に記載の精米設備。
【発明の詳細な説明】
【技術分野】
【０００１】
本発明は利用者が投入した被処理米に対して精米処理を行う精米設備に関し、特に、被処理米に付着した埃などを集める集塵装置に関する。
【背景技術】
【０００２】
コイン（硬貨）や紙幣などの貨幣を投入することにより自動的に精米作業を行わせる、コイン式精米機などとも称せられる精米設備は、既に広く知られている。この精米設備は、建屋の内部が、仕切壁により、利用客が自由に行き来できる客室と、管理者や保守点検員などの限定した人しか入ることができない機械室とに仕切られている。この精米設備には、機械室内に、利用者が投入した被処理米（玄米など）から石などの異物を除去する石抜機や、利用者が投入した被処理米を投入部（張込部）から石抜機側へ搬送する張込側昇降機や、実際に精米動作を行う精米機、被処理米を石抜機側から精米機側へ搬送する精米機側昇降機などが配設されている。また、精米機には、精米時（搗精時）に発生する糠を吸引して糠回収袋などに排出する送風機などが接続されている（特許文献１等）。
【０００３】
この種の精米設備においては、利用客により投入された被処理米に付着した埃などを除去する集塵装置をさらにオプション装置として設置可能に構成したものがある。この集塵装置は、例えば、被処理米を前記張込側昇降機から前記石抜機に搬送する搬送路にその吸引部を臨ませて吸引するように配設されている。そして、被処理米に付着した埃（糠埃など）を、集塵装置に設けられている吸引手段で吸引して、所定箇所に溜めるよう構成されている。
【０００４】
この集塵装置を設けると、精米機に導入される被処理米が、糠埃などの埃が予め除去されたものとなる。これにより、精米機や石抜機などでの故障の発生を減少させたり、精米機の精米用ロールや精米用網などの寿命を延ばしたりすることができる。また、機械室に被処理米の搬送路への空気が漏れることによる機械室への埃の飛散を最小限に抑えることもできる。
【０００５】
ところで、精米設備の建屋には客室や機械室が設けられているが、これらの客室や機械室には、被処理米が持ち込まれたり、処理済の米が持ち出されたり、精米時の微粉（埃）が飛散したりするため、衛生面や見栄えの点からも、床面などを適宜清掃して清潔にすることが望ましい。
【０００６】
従来の精米設備において、客室内や機械室内を清掃する方法としては、精米設備の管理者などが、ほうき（箒）やちり取り（塵取り）などを置いておいたり持ち込んだりして、掃除する場合が多かった。
【先行技術文献】
【特許文献】
【０００７】
【特許文献１】特開２０００−２７９８２９号公報
【発明の概要】
【発明が解決しようとする課題】
【０００８】
しかし、ほうきやちり取りなどによって客室内や機械室内を掃除する作業は、多大な手間（労力）や時間がかかるとともに、客室や機械室の細部や隅部に溜まった埃などについては除去し難かった。
【０００９】
これに対処する方法としては、ハンディ型などの電気掃除機を持ち込んだり、コンセントを客室や機械室内に設けて一般の電気掃除機を使用したりして、電気掃除機により客室や機械室を掃除することが考えられる。これによれば、客室や機械室の細部や隅部に溜まった埃なども良好に除去できる。
【００１０】
しかしながら、上記のように被処理米に付着した埃などを除去する集塵装置を設置した精米設備においても、別途に電気掃除機を備えなければならないため、集塵装置とは別途に電気掃除機の購入費用が必要となり、設備費用として高額になってしまう。
【００１１】
本発明は上記課題を解決するもので、客室内や機械室を良好に掃除することができながら、設備費用を抑えることのできる精米設備を提供することを目的とするものである。
【課題を解決するための手段】
【００１２】
上記課題を解決するために本発明の精米設備は、投入部に投入された被処理米を、被処理米搬送流路を介して精米機に搬送して精米する精米設備であって、集塵装置を有し、前記集塵装置は、前記被処理米搬送流路にその内部が連通するように接続された流路用吸引ホースと、当該精米設備の掃除をする掃除用ホースと、空気を吸引する吸引手段と、前記吸引手段に対して、前記流路用吸引ホースと前記掃除用ホースとを切り換えて接続する切換接続部と、を備えたことを特徴とする。なお、前記吸引手段としては、掃除機本体を使用することもできる。
【００１３】
この構成により、切換接続部に流路用吸引ホースをつないで吸引手段を駆動することで、被処理米に付着した埃を吸引して被処理米から除去することができる。また、切換接続部に掃除用ホースをつないで吸引手段を駆動することで、当該精米設備の掃除を行うことができる。また、この場合に、１つの吸引手段により、被処理米から糠埃などの埃を吸引して除去する機能と、当該精米設備の掃除を行う機能との２つの機能を切り換えて実現することができる。
【００１４】
また、本発明の精米設備は、制御部が設けられ、前記制御部により、前記吸引手段が制御されることを特徴とする。この構成により、米被処理米からの埃の除去動作と、精米設備の掃除動作とを制御部により制御することができる。
【００１５】
また、本発明の精米設備は、仕切壁により客室と機械室とに仕切られ、客室と機械室とに自在に持ち込み可能で、前記制御部と制御用信号を入出力するリモートコントローラが設けられ、前記リモートコントローラにより、前記吸引手段を制御可能に構成されていることを特徴とする。この構成により、客室と機械室との何れの場所でもリモートコントローラを操作して、掃除することが可能となる。
【００１６】
また、本発明の精米設備は、制御部により、精米処理が行われている際には、前記リモートコントローラによる前記吸引手段に対する制御信号に基づく前記吸引手段の動作が禁止されるよう構成されていることを特徴とする。この構成により、精米処理が行われている際に、誤ってリモートコントローラによって、吸引手段を駆動させて掃除を行おうとした場合でも、前記リモートコントローラにより吸引手段が動作することが防止される。
【００１７】
また、本発明の精米設備は、仕切壁により客室と機械室とに仕切られ、前記機械室に、前記吸引手段および前記切換接続部が配設され、その一端部が前記客室に臨むように前記機械室側から延ばされ、その他端部が前記切換接続部に接続可能な客室用吸引ホースが設けられたことを特徴とする。この構成により、吸引手段を機械室に載置した状態で、客室用吸引ホースの一端部に掃除用ホースを接続して客室内の掃除を行うことができる。すなわち、吸引手段を客室内に持ち運ばなくても客室内の掃除を行うことができる。
【００１８】
また、本発明の精米設備は、前記客室用吸引ホースの一端部である客室用接続口が、前記投入部に投入する被処理米を載せる載台の下方に配設されていることを特徴とする。この構成により、前記客室用接続口を比較的利用客の目の届き難い場所に配置できて、目障りとなることを防止できる。また、前記客室用接続口が載台の下方に配設されているので、前記客室用接続口を、客室側に突出させて配設する場合でも、利用客の足などが載台によって前記客室用接続口（前記客室用吸引ホースの一端部）に当接し難くなり、利用客の足などの当接に起因して損傷することを防止できる。
【００１９】
また、本発明の精米設備は、前記客室用吸引ホースの一端部である客室用接続口が、ロック可能な開閉扉により開閉されるように構成されていることを特徴とする。この構成により、開閉扉を閉じた状態では開閉扉により前記客室用吸引ホースの一端部である客室用接続口が保護される。この結果、利用客や客室に入った人などにより、前記客室用接続口がいたずらされるなどして損傷したり、小動物や虫などが前記客室用接続口を通って機械室側に侵入したりするなどの不具合の発生を予防することができるとともに、利用客の脚などの当接に起因して前記客室用接続口が損傷することを防止できる。
【００２０】
また、本発明の精米設備は、制御部と、投入部の被処理米を検知する投入部検知センサと、投入部に投入された被処理米を下流側に搬送するために上方に移送する張込昇降機と、が設けられ、前記被処理米搬送流路における前記張込昇降機の下流に連通するように、前記流路用吸引ホースが接続され、前記制御部は、前記投入部検知センサにより投入部の被処理米の量が所定量よりも減少したことを検知すると、前記張込昇降機は継続して駆動しながら、前記吸引手段を停止させることを特徴とする。
【００２１】
上記構成により、投入部の被処理米の量が所定量よりも減少すると、吸引手段が停止されるため、張込昇降機により移送される被処理米の量が少なくなって、誤って被処理米の一部が吸引手段の吸引力により吸引されることを防止することができる。つまり、掃除も行えるような吸引手段は、従来の、被処理米に付着した埃を吸引する吸引手段よりも、吸引能力が大きい場合が多いが、この場合でも、被処理米が吸引手段の吸引力により吸引されることを防止できる。
【００２２】
また、本発明の精米設備は、前記被処理米搬送流路における前記流路用吸引ホースが接続された箇所と連通する部分に空気を取り入れる吸気口が形成されていることを特徴とする。この構成により、吸引手段を駆動させて吸引する際に吸気口から空気を取り入れながら、被処理米に付着した埃を良好に吸引することができる。すなわち、吸引手段として、良好に掃除することができるような比較的吸引力の大きいものを用いた場合、吸気口が設けられていないと、昇降機や投入部が負圧となったり、空気の流入部が不安定となったりするなどして、良好に吸引されない場合があるが、吸気口を形成することで、空気の流れや吸引量が安定して、被処理米に付着した埃を良好に吸引することができる。
【００２３】
また、本発明の精米設備は、前記被処理米搬送流路における前記流路用吸引ホースが接続された箇所と連通する部分に開口面積を調整可能な調整吸気口が形成されていることを特徴とする。この構成によれば、調整吸気口の開口面積を調整することで、より適した状態で吸引することができて、被処理米に付着した埃を良好に吸引することができる。
【００２４】
また、本発明の精米設備は、前記吸引手段が、吸引した埃を溜める埃貯留部を有するとともに、前記吸引手段よりも吸引通路の上流側に、吸引した埃などを溜めるサイクロンが配設され、前記サイクロンに溜められた貯留物が満杯になった場合のみ、埃を前記吸引手段の埃貯留部に溜めるよう構成されていることを特徴とする。この構成によれば、通常時はサイクロンに溜められた貯留物を取り出せばよく、また、前記サイクロンに溜められた貯留物が満杯になった場合は、埃が前記吸引手段の埃貯留部に溜められるため、信頼性が向上する。
【００２５】
また、本発明の精米設備は、前記流路用吸引ホースが、石抜き装置よりも、被処理米の流れ方向の上流に配設された異物除去部（例えば、わらなどの長尺異物を除去する異物除去部）に接続されていることを特徴とする。この構成によれば、異物除去部において、被処理米が殆ど重ならずに流れている状態で、被処理米の埃を吸引することができるので、被処理米に対して埃を良好に吸引することが可能となる。
【００２６】
また、本発明の精米設備は、切換接続部にホースが接続されていることまたは接続されているホースの種類の少なくとも一方を検知する検知手段を設け、掃除動作を指示するための手動による指示信号が制御部に入力された際あるいは、掃除動作を終了する際の動作時に、適したホースが前記切換接続部に接続されていない場合には、制御部により警報動作が行われるよう構成されていることを特徴とする。
【００２７】
例えば、切換接続部に流路用吸引ホースが接続されているかどうかを検知する接続状態検知手段を設け、掃除した後に、切換接続部に流路用吸引ホースが接続されていないことを検出した場合には、警報を表示したり、警報音を発したりして、警告するように構成してもよい。これにより、掃除後に、流路用吸引ホースを付け忘れて、被処理米の糠埃などの吸引動作が正常に行われないという不具合を発生することを防止することができて、信頼性が向上する。また、切換接続部に接続されたホースが、流路用吸引ホース、掃除用ホース、または、客室側に接続される客室用吸引ホースの何れかであることを検知する検知手段（センサ）を切換接続部などに設け、掃除動作を指示するための手動による指示信号が制御部に入力された際に、掃除用ホースまたは客室用吸引ホースが切換接続部に接続されていない場合に、制御部により警報動作が行われるよう構成してもよい。これによっても、掃除をしようとして、リモコンなどを操作した際に、警報動作が行われるため、掃除用ホースまたは客室用吸引ホースなどが切換接続部に接続されていないことがわかって、信頼性が向上する。なお、切換接続部に単にホースが接続されているかどうかを検知する検知手段を設けて、リモコンなどを操作した際に、警報動作が行われるよう構成してもよく、これによっても、ホースを接続し忘れた状態を管理者や係員に知らせることができて、信頼性が向上する。
【発明の効果】
【００２８】
本発明によれば、被処理米搬送流路にその内部が連通するように接続された流路用吸引ホースと、当該精米設備の掃除をする掃除用ホースと、空気を吸引する吸引手段と、前記吸引手段に対して、前記流路用吸引ホースと前記掃除用ホースとを切り換えて接続する切換接続部と、を備えることにより、１つの吸引手段だけで、被処理米に付着した埃を吸引して被処理米から除去したり、当該精米設備の掃除を行ったりすることができる。したがって、被処理米に付着した埃などを除去する集塵装置とは別途に電気掃除機を備える場合と比較して設備費用を低減することができる。また、外部から電気掃除機を持ち込まなくても済んで利便性がよい利点もある。
【００２９】
また、客室と機械室とに自在に持ち込み可能で、前記制御部と制御用信号を入出力するリモートコントローラを設けることで、客室と機械室との何れの場所でもリモートコントローラを操作して、掃除することが可能となって、これによっても利便性が向上する。
【００３０】
また、制御部により、精米処理が行われている際には、前記リモートコントローラによる前記吸引手段に対する制御信号に基づく前記吸引手段の動作が禁止されるよう構成することにより、精米処理が行われている際に誤ってリモートコントローラを操作しても、リモートコントローラの指示に基づいて吸引手段が動作することが防止されて信頼性が向上する。
【００３１】
また、一端部が前記客室に臨むように前記機械室側から延ばされ、その他端部が前記切換接続部に接続可能な客室用吸引ホースを設けることで、吸引手段を機械室に載置したままの状態で、客室用吸引ホースの一端部に掃除用ホースを接続して客室内の掃除を行うことができる。すなわち、吸引手段を客室内に持ち運ばなくても客室内の掃除を行うことができるので、利便性が向上する。
【００３２】
また、前記客室用吸引ホースの一端部である客室用接続口を、投入部に投入する被処理米を載せる載台の下方に配設することで、客室用接続口を目立たない状態で客室に配設できて、利用客に違和感などを抱かせることを防止できる。また、ある程度突出された状態で配設される載台によって、利用客の足などが前記客室用接続口に当接し難くなって損傷することを防止できる。
【００３３】
また、前記客室用接続口がロック可能な開閉扉により開閉されるように構成することにより、利用客や客室に入った人などにより、前記客室用接続口がいたずらされるなどして損傷したり、小動物や虫などが前記客室用接続口を通って機械室側に侵入したりするなどの不具合の発生を予防することができるとともに、利用客の脚などの当接に起因して前記客室用接続口が損傷することを防止することができて信頼性が向上する。
【００３４】
また、投入部検知センサにより投入部の被処理米の量が所定量よりも減少したことを検知すると、張込昇降機は継続して駆動しながら、吸引手段を停止させることで、電気代などを節約できながら、吸引能力が大きい吸引手段を用いた場合でも、被処理米が吸引手段の吸引力により吸引されることを防止することができる。
【００３５】
また、被処理米搬送流路における流路用吸引ホースが接続された箇所と連通する部分に空気を取り入れる吸気口を形成したり、開口面積を調整可能な調整吸気口を形成したりすることにより、空気の流れや吸引量が安定して、被処理米に付着した埃を良好に吸引することができて、信頼性が向上する。
【００３６】
また、吸引手段が、吸引した埃を溜める埃貯留部を有するとともに、前記吸引手段よりも吸引通路の上流側に、吸引した埃などを溜めるサイクロンが配設され、前記サイクロンに溜められた貯留物が満杯になった場合のみ、埃を前記吸引手段の埃貯留部に溜めるよう構成することで、サイクロンに溜められた貯留物が満杯になった場合は、埃が前記吸引手段の埃貯留部に溜められるため、信頼性が向上する。
【００３７】
また、流路用吸引ホースを異物除去部に接続することにより、被処理米に対して埃を良好に吸引することが可能となる。
【００３８】
また、本発明の精米設備として、切換接続部にホースが接続されていることまたは接続されているホースの種類の少なくとも一方を検知する検知手段を設け、掃除動作を指示するための手動による指示信号が制御部に入力された際あるいは、掃除動作を終了する際の動作時に、適したホースが前記切換接続部に接続されていない場合には、制御部により警報動作が行われるよう構成してもよい。例えば、切換接続部に流路用吸引ホースが接続されているかどうかを検知する接続状態検知手段を設け、掃除した後に、切換接続部に流路用吸引ホースが接続されていないことを検出した場合には、警報を表示したり、警報音を発したりして、警告するように構成してもよい。これにより、ホースの付け忘れや、取り付けるべきホースが誤っていることなどを管理者や係員などに知らせることができて、信頼性が向上する。
【図面の簡単な説明】
【００３９】
【図１】本発明の実施の形態に係る集塵装置を備えた精米設備の正面図である。但し、利用客が出入りする出入口扉を省いた状態で示している。
【図２】同精米設備の平面図である。
【図３】図２のIII−III線矢視側面図である。
【図４】図２のIV−IV線矢視側面図である。
【図５】同精米設備において被処理米を処理する構成を概略的に示す図である。
【図６】同精米設備の異物除去部の縦断面図である。
【図７】同精米設備の異物除去部の左側面図である。
【図８】同精米設備の異物除去部の右側面図である。
【図９】同精米設備の平面図で、機械室内を掃除する際の状態を示す。
【図１０】同精米設備の側面図で、機械室内を掃除する際の状態を示す。
【図１１】同精米設備の平面図で、客室内を掃除する際の状態を示す。
【図１２】同精米設備の側面図で、客室内を掃除する際の状態を示す。
【発明を実施するための形態】
【００４０】
以下、本発明の実施の形態に係る精米設備およびこの精米設備に設けられた集塵装置について図面に基づき説明する。
図１〜図４に示すように、精米設備は、仕切壁１により建屋２の内部が、利用客が自由に出入りできる客室３と、係員や管理人などが出入り可能な機械室４とに仕切られた構造とされている。なお、図１における５Ａは精米済みの白米を収容する白米の収容袋、図２〜図５における５Ｂは玄米などの被処理米を収納する被処理米の収容袋、６は客室３への出入口に配設されている出入口扉、７は係員や管理人などが出入りする管理用扉、８は被処理米（玄米）が投入される投入部（投入ホッパからなり張込部とも称せられる）である。なお、被処理米の収容袋５Ｂを白米の収容袋５Ａとして兼用する場合もある。
【００４１】
図２、図３に示すように、投入部８の上面開口部分である投入口２０の上方には、仕切壁１から機械室４側（奥側）に窪むように一体形成されてなる投入フード２１が設けられている。そして、この投入フード２１の内部空間である投入空間部２２と客室３内の空間とが、連通開口部２３を介して連通され、この連通開口部２３が、上下方向にスライド可能に配設された投入開閉扉２４によって開閉されるよう構成されている。
【００４２】
また、投入口２０および投入部８の前部は、仕切壁１よりも客室３側に突出されて配設されており、これに対応して、開閉扉２４が完全に閉じられた状態で、透光板２５が設けられている開閉扉下部２４ａが、下方側ほど大きく客室３側に延びる傾斜姿勢となるように配設されている。そして、この構成により、開閉扉２４を閉じた状態でも、透光板２５を通して、投入口２０（投入部８）内部を視認できるようになっている。なお、図３における１８は、利用者などが被処理米を収容した収容袋５Ｂを載せることが可能な載台であり、投入部８の上部よりもさらに客室３側に突出して配設されている。また、投入部８の下部（後述する張込昇降機１０の入口部も兼ねている）には、投入部８に投入された被処理米を検知する投入部検知センサ２７が配設されている。
【００４３】
図１などに示すように、客室３の略中央箇所（仕切壁１を正面視した場合には後述する精米機１１の下方の箇所）には、精米した被処理米を溜める白米ホッパ１９が配設され、客室３の床面上における白米ホッパ１９の下方近傍箇所には、白米ホッパ１９の開閉シャッタを開閉する足踏み式の踏み台１９ａが配設されている。また、白米ホッパ１９の側方（客室３側から仕切壁１に向かって右側）には、その前面部が客室３に臨むように操作制御盤５２が配設されている。操作制御盤５２の前面部には、精米処理料金としてのコインを投入するコイン投入口５２ａや、精白度（例えば、５ぶ、７ぶ、普通、上白など）を選択する複数の精白度選択ボタン５２ｂなどが設けられている。操作制御盤５２の内部には、コインの投入の検知や精白度選択ボタン５２ｂの選択などに応じて各部分を制御する制御部５３（図２参照）や、操作制御盤５２から取出し自在とされるとともに客室３と機械室４とに自在に持ち込み可能で、制御部５３と制御用信号を入出力するリモートコントローラ（以下、リモコンと略す）５４が内蔵されている。
【００４４】
機械室４には、投入部８の本体枠後部、投入部８内に投入された被処理米を石抜機９側に搬送する張込昇降機１０、投入された被処理米から石などの異物を取り除く石抜機９、石抜機９で異物が取り除かれた被処理米を精米機１１側に搬送する精米昇降機１２、駆動モータ２６で駆動されて実際に精米（搗精）処理を行う精米機１１、精米機１１で発生した糠を糠回収袋１３側に排出するための糠排出送風機１４や糠排出ダクト１５Ａ、１５Ｂおよび糠排出サイクロン１６などが配設されている。また、機械室４内における精米機１１の略上方箇所に、精米機１１へ供給する被処理米を一時的に溜める精米タンク１７などが配設されている。
【００４５】
石抜機９の上方位置に対応する、張込昇降機１０の被処理米の出口部分には、石抜機９へ供給する被処理米が一時的に溜められるとともにこの被処理米から、わら（藁）などの異物（長尺異物）が除去される異物除去部３０が配設されている。図６に示すように、異物除去部３０は、その外殻部をなす異物除去部本体３０ａに、被処理米を導入する被処理米導入口３０ｆが形成され、この被処理米導入口３０ｆが、投入部８に投入された被処理米を石抜機９側に搬送する張込昇降機１０における被処理米の出口１０ａに直接接続されている。
【００４６】
異物除去部（異物除去部本体３０ａ内）には、斜め下方に傾斜して配設され、異物除去部３０に導入された被処理米を案内する傾斜案内部３１と、この傾斜案内部３１によって案内された被処理米に当接して、傾斜案内部３１からの被処理米の勢いを低下させてから被処理米を反対側に案内する当接案内部３２と、傾斜案内部３１とは逆方向（図６においては右方向）の斜め下方に傾斜して配設され、被処理米を斜め下方に流れるように案内するとともに異物（長尺異物）Ｘの長さよりも小さくて被処理米が通過する多数の通過孔３３ａを有する傾斜選別案内部３３と、被処理米が通過するが傾斜選別案内部３３の通過孔３３ａよりも小さい多数の孔部３４ａが形成され、傾斜選別案内部３３の下流出口から流れ出た被処理米および被処理米に混じった異物Ｘを受けて、異物を回収（除去）する長尺異物回収部３４と、傾斜選別案内部３３の通過孔３３ａまたは長尺異物回収部３４の孔部３４ａを通過した被処理米を受ける被処理米回収部３５とが備えられている。なお、異物除去部３０（異物除去部本体３０ａ内）における張込昇降機１０の出口１０ａの近傍箇所には、張込昇降機１０の出口１０ａから出る被処理米を傾斜案内部３１に案内する補助傾斜案内部３８も設けられている。
【００４７】
そして、この異物除去部３０の内部を被処理米が通る際に、異物（長尺異物）Ｘが長尺異物回収部３４により除去される（回収される）よう構成されている。
【００４８】
さらに上記構成に加えて、異物除去部３０には、被処理米（玄米）から、被処理米に付着した埃など（糠埃など）を除去できるとともに、当該精米設備の建屋２内（すなわち、客室３や機械室４）の掃除も行うことが可能な集塵装置４０が設けられている。
【００４９】
図２、図３などに示すように、集塵装置４０は、空気を吸引する吸引手段としての掃除機本体４１と、被処理米が搬送される被処理米搬送流路の一例としての異物除去部３０にその内部が連通するように接続された流路用吸引ホース４２と、当該精米設備の建屋２内（すなわち、客室３や機械室４）の掃除をする掃除用ホース４３（図９など参照）と、掃除機本体４１よりも吸引通路の上流側に配設されて、吸引した埃などを溜めるサイクロン４４と、サイクロン４４と掃除機本体４１とを接続する吸引元ホース４６と、その一端部が客室に臨むように前記機械室側から延ばされた客室用吸引ホース４５となどから構成されている。
【００５０】
掃除機本体４１は業務用などの市販の掃除機で構成され、機械室４に設けられて制御部５３による制御信号に基づいてＯＮ・ＯＦＦされるコンセント（図示せず）に電源コードが差し込まれて給電されている。なお、掃除機本体４１内にも、吸引した埃などを溜める埃貯留部が内蔵されている。そして、掃除機本体４１と、サイクロン４４の排出口４４ａとが、吸引元ホース４６で接続され、サイクロン４４を通して埃などが吸引される。ここで、サイクロン４４の吸入口が、流路用吸引ホース４２と、掃除用ホース４３と、客室用吸引ホース４５とを切り換えて接続可能である切換接続部４４ｂとして機能する。
【００５１】
なお、サイクロン４４は、取付用部品を用いて、切換接続部４４ｂや排出口４４ａが形成されている蓋体４４ｄで、機械室４の壁面内側などに固定されており、この蓋体４４ｄに対して、埃などを溜めることができる貯留部（サイクロン本体）４４ｃが着脱自在とされている。貯留部（サイクロン本体）４４ｃは透光性を有する部材で形成され、埃などの溜まった状態を外部から容易に視認できるようになっている。
【００５２】
流路用吸引ホース４２は、一端部で異物除去部３０に、この異物除去部３０の内部が連通するように接続されているとともに、他端部が切換接続部４４ｂに着脱自在とされている。すなわち、流路用吸引ホース４２の他端部を切換接続部４４ｂに接続した状態で、掃除機本体４１を駆動させることで、異物除去部３０内の埃などを空気とともに吸引できるよう構成されている。なお、この実施の形態では、流路用吸引ホース４２は、一部が異物除去部３０の上面に載せられた状態で支持されているが、これに限るものではない。
【００５３】
図５、図６、図７などに示すように、この実施の形態では、異物除去部３０の背面における向って右寄り箇所に吸引接続部３０ｂが形成されており、この吸引接続部３０ｂに流路用吸引ホース４２の他端部が接続されている。異物除去部３０において傾斜案内部３１の下方で、傾斜案内部３１と略同様な向きに傾斜した傾斜面部３６が配設されているとともに、図６、図７に示すように、異物除去部３０の異物除去部本体３０ａにおける傾斜案内部３１の下流端から当接案内部３２に向けて下方に流れる箇所の近傍（この実施の形態では、異物除去部３０の、向って左側面となる箇所）に、空気を取り入れる吸気口３０ｃが形成されている。なお、吸気口３０ｃには、被処理米や被処理米に付着した埃などが出ないように細かな目のメッシュ材が配設されている。また、図６における３８は補助傾斜案内部である。
【００５４】
上記のように、傾斜面部３６や吸気口３０ｃが設けられていることにより、傾斜案内部３１の下流端から当接案内部３２に向けて下方に流れる被処理米に対して直交するように、吸気口３０ｃから吸引接続部３０ｂに向けて空気が流れて（図６において、点線部で空気の流れを簡略的に示す。）、飛散する埃や被処理米に付着した埃などが被処理米から分離して流路用吸引ホース４２側に吸引されるよう構成されている。
【００５５】
さらに、この実施の形態では、図８に示すように、異物除去部３０の、向って右側面となる、吸引接続部３０ｂの近傍箇所に、その開口面積を調整可能な調整吸気口３０ｄが形成されている。この実施の形態では、調整吸気口３０ｄの外側に上下にスライド可能な調整蓋３０ｅが取り付けられて、調整蓋３０ｅの位置を調整することで、調整吸気口３０ｄの開口面積を調整できるよう構成されている。なお、この実施の形態では、調整蓋３０ｅ
が、締め付けたり緩めたりすることのできるねじ部材などを用いて、調整蓋３０ｅの位置を調整、固定できるようになっている。すなわち、調整吸気口３０ｄの開口面積が大きくなるように調整することで、被処理米が流れ落ちる箇所に対する吸引力を小さくでき、調整吸気口３０ｄの開口面積が小さく（完全に閉じることも可能）なるように調整することで、被処理米が流れ落ちる箇所に対する吸引力を大きくできる。
【００５６】
図９〜図１２に示すように、掃除用ホース４３は、その一端部がサイクロン４４の切換接続部４４ｂに着脱自在とされ、掃除用ホース４３の他端部には、例えば床掃除用の吸い口や各種吸い口などの掃除に適した治具が装着されている。したがって、掃除用ホース４３を切換接続部４４ｂに装着して、掃除機本体４１を駆動させることにより、機械室４内を良好に掃除することができる。
【００５７】
図２、図３などに示すように、客室用吸引ホース４５は、その一端部である客室用接続口４５ａが、投入部８における載台１８の下方箇所において、載台１８よりも引っ込んだ状態、つまり載台１８より突出しない状態で、かつ客室３内に臨むことが可能な姿勢で機械室４側から延ばされて配設されている。客室用吸引ホース４５の他端部は、サイクロン４４の切換接続部４４ｂに着脱自在とされている。
【００５８】
また、図１などに簡略的に示すように、客室用吸引ホース４５の客室用接続口４５ａは、鍵などによりロック可能な開閉扉４９により開閉されるように構成されており、客室３に入った利用客などに対しては、開閉扉４９が開けられないよう図られている。
【００５９】
そして、管理者や係員などの人により、鍵などを用いて開閉扉４９を開けて、客室用接続口４５ａに掃除用ホース４３を接続し、掃除機本体４１を駆動させることにより、客室３内を掃除できるよう構成されている。
【００６０】
図１、図２に簡略的に示すように、操作制御盤５２の内部には、制御部５３が設けられているとともに、客室３からは利用者などが表示内容を視認のみできる一方で、管理者や係員などは操作制御盤５２の表扉を、鍵を用いるなどして開けることで、視認だけでなくキー入力も可能な表示入力部５５が設けられている。また、上記したように、操作制御盤５２の内部には、着脱自在なリモコン５４も配設されている。そして、掃除機本体４１は、制御部５３の制御信号に基づいて制御（この実施の形態ではＯＮ・ＯＦＦ）されるよう構成されている。
【００６１】
また、利用客が利用可能な通常の営業販売状態では、制御部５３は当該精米設備を自動モードで制御しており、サイクロン４４の切換接続部４４ｂに流路用吸引ホース４２が接続されている。そして、料金が投入されるとともに被処理米が投入部８に投入され、精白度選択ボタン５２ｂが選択されると、張込昇降機１０、掃除機本体４１および石抜機９などが駆動開始される。また、順次、精米機１１が駆動開始されて、石抜き動作や精米動作が開始される。
【００６２】
一方、被処理米が、石抜機９や精米機１１へ移送されて、投入部８の被処理米の量が所定量よりも減少したことが、投入部検知センサ２７により検知されると、張込昇降機１０は継続して駆動しながら、掃除機本体４１は停止される。これにより、異物除去部３０への導入量が少なくなっている被処理米が、誤って集塵装置４０により吸引されないよう構成されている。なお、投入部８で被処理米が検知されない状態が所定時間続くと、張込昇降機１０も停止される。
【００６３】
また、利用客がいないときなどに、管理者や係員がリモコン５４や表示入力部５５を操作された場合には、制御部５３は精米設備を手動モードに設定変更する。そして、リモコン５４や表示入力部５５が用いられて、リモコン５４や表示入力部５５に設けられている集塵動作用の押しボタンなどが押されると、掃除機本体４１が駆動されるようになっている。一方、万一、精米設備が利用客によって利用されている（精米動作が行われている）状態で、リモコン５４が操作された場合には、制御部５３は、自動モードを持続して精米動作を継続して行い、リモコン５４による信号に基づく掃除機本体４１の動作が禁止されるよう構成されている。
【００６４】
上記構成によれば、図２、図３に示すように、利用客が利用可能な通常の営業販売状態では、切換接続部４４ｂに流路用吸引ホース４２をつないだ状態で当該精米設備を駆動させることで、被処理米に付着した埃を吸引して被処理米から除去することができる。また、機械室４を掃除する際には、図９、図１０に示すように、切換接続部４４ｂに掃除用ホース４３をつないで、リモコン５４を操作して吸引手段としての掃除機本体４１を駆動することで、機械室４を良好に掃除することができる。また、客室３を掃除する際には、図１１、図１２に示すように、切換接続部４４ｂに客室用吸引ホース４５を接続するとともに、客室用吸引ホース４５の端部（客室用接続口４５ａ）に掃除用ホース４３をつないで、リモコン５４や表示入力部５５を操作して掃除機本体４１を駆動することで、客室３を良好に掃除することができる。
【００６５】
また、この場合に、１つの吸引手段としての掃除機本体４１により、被処理米から糠埃などの埃を吸引して除去する機能と、当該精米設備の掃除を行う機能との２つの機能を切り換えて実現することができる。したがって、被処理米に付着した埃などを除去する集塵装置とは別途に電気掃除機を備える場合と比較して設備費用を低減することができる。また、外部から別途に電気掃除機を持ち込まなくても済むため、利便性がよい利点もある。
【００６６】
また、上記構成によれば、客室３を掃除する際でも、掃除機本体４１を客室３に移動させなくても、客室用吸引ホース４５や掃除用ホース４３を接続するだけで、容易に、かつ多くの手間をかけないで客室３を掃除できる。また、リモコン５４により掃除機本体４１を制御可能（駆動、停止可能）に構成されているので、客室３と機械室４との何れの場所でもリモコン５４を操作しながら掃除することができて、利便性がよい。
【００６７】
また、上記構成によれば、精米処理が行われている際には、リモコン５４による掃除機本体４１の動作が制御部５３により禁止されているので、万一、精米処理が行われている際に、誤ってリモコン５４によって掃除機本体４１を駆動させて掃除を行おうとした場合でも、リモコン５４による掃除機本体４１の動作が防止される。したがって、精米処理は継続して支障なく行われ、良好な信頼性を維持することができる。
【００６８】
また、上記構成によれば、客室用吸引ホース４５の一端部である客室用接続口４５ａを、投入部８に投入する被処理米を載せる載台１８の下方に配設している。これにより、客室用接続口４５ａを目立たない状態で客室に配設できて、利用客に違和感などを抱かせることを防止できる。また、本実施の形態では、さらに、利用客が当該精米設備を利用する際には、客室用接続口４５ａが、ロック可能な開閉扉４９により閉じられているので、客室用接続口４５ａを一層、目立たない状態で客室に配設できて、利用客に違和感などを抱かせることを防止できる。また、客室用接続口４５ａが、ある程度突出された状態で配設されている載台１８の下方に配設されているので、利用客の足などが客室用接続口４５ａに当接して損傷することを防止でき、これにより信頼性を防止できる。
【００６９】
また、開閉扉４９を閉じた状態ではこの開閉扉４９により客室用接続口４５ａが客室３に露出せずに保護される。この結果、利用客や客室に入った人などにより、客室用接続口４５ａがいたずらされるなどして損傷したり、小動物や虫などが客室用接続口４５ａを通って機械室４側に侵入したりするなどの不具合の発生を予防することができる。
【００７０】
また、上記構成によれば、張込昇降機１０のすぐ下流に配設されている異物除去部３０で、埃が吸引されるため、張込昇降機１０により搬送されて埃が発生しやすい状況下で、発生した埃や被処理米に付着した埃を良好に吸引することができる。また、流路用吸引ホース４２を異物除去部３０に接続して埃などを吸引しており、異物除去部３０において、被処理米が殆ど重ならずに流れている状態で、被処理米の埃を吸引することができるので、被処理米に対して埃を良好に吸引することが可能となり、信頼性が向上する。
【００７１】
また、張込昇降機１０が駆動されている時期にほぼ合わせて掃除機本体４１を駆動させることで、被処理米の埃が飛散しやすい時だけに、吸引動作を行って、効果的に、かつ、電気代などを節約しながら、被処理米の埃などを吸引することができる。
【００７２】
また、上記構成によれば、投入部８に投入された被処理米が、石抜機９や精米機１１へ移送されて、投入部８の被処理米の量が所定量よりも減少したことが、投入部検知センサ２７により検知されると、張込昇降機１０は継続して駆動しながら、掃除機本体４１は停止される。これにより、異物除去部３０への導入量が少なくなっている被処理米が、誤って集塵装置４０により吸引されないため、被処理米が集塵装置４０により吸引されることを良好に防止できる。つまり、掃除も行えるような吸引手段としての掃除機本体４１は、従来の、被処理米に付着した埃を吸引する送風機などの吸引手段よりも、吸引能力が大きい場合が多いが、この場合でも、被処理米が吸引手段（掃除機本体４１）の吸引力により吸引されることを防止できる。
【００７３】
また、上記構成によれば、被処理米が通る被処理米搬送流路（この実施の形態では、異物除去部３０）に臨ませて、空気を取り入れる吸気口３０ｃを形成しているため、掃除機本体４１を駆動させて吸引する際に吸気口３０ｃから空気を積極的に取り入れながら、被処理米搬送流路内で飛散する埃や被処理米に付着した埃を良好に吸引することができる。すなわち、吸引手段として、良好に掃除することができるような比較的吸引力の大きい掃除機本体４１などのようなものを用いた場合、吸気口が設けられていないと、張込昇降機１０や投入部８の圧力が極めて低くなったり、空気の流入部が不安定となったりするなどして、良好に吸引されない場合があるが、吸気口３０ｃを形成することで、空気の流れや吸引量が安定して、被処理米に付着した埃を良好に吸引することができる。
【００７４】
また、上記構成によれば、被処理米搬送流路（この実施の形態では、異物除去部３０）における流路用吸引ホース４２が接続された箇所と連通する部分、この実施の形態では、異物除去部３０の吸引接続部３０ｂの近傍箇所に、その開口面積を調整可能な調整吸気口３０ｄを形成している。これにより、調整吸気口３０ｄの開口面積を調整することで、より適した状態で吸引することができて、被処理米に付着した埃を良好に吸引することができる。
【００７５】
また、上記構成によれば、吸引した埃などを溜める埃貯留部が内蔵されている掃除機本体４１を用いながら、この掃除機本体４１の上流側にサイクロン４４を配設したので、通常時はサイクロン４４に溜められた埃などの貯留物を取り出せばよく、また、サイクロン４４に溜められた貯留物が満杯になった場合でも、埃が掃除機本体４１の埃貯留部に埃などが溜められて、外部（機械室４内）に出たりすることはないため、良好な信頼性が保持される。
【００７６】
なお、上記構成に加えて、切換接続部４４ｂに流路用吸引ホース４２が接続されているかどうかを検知する接続状態検知手段を設け（例えば、切換接続部４４ｂに流路用吸引ホース４２を接続した場合のみＯＮまたはＯＦＦされるリミットスイッチなどを設け）、リモコン５４や操作制御盤５２を用いて掃除した後に、切換接続部４４ｂに流路用吸引ホース４２が接続されていないことを検出した場合には、警報を表示したり、警報音を発したりして、警告するように構成してもよい。例えば、掃除した後に、リモコン５４を元の位置に戻したり、リモコン５４による指示を終了すべく、リモコン５４をＯＦＦ状態にしたりする際や、表示入力部５５による入力動作や表示動作を終了する際、操作制御盤５２の操作を終えて閉じた際などに、切換接続部４４ｂに流路用吸引ホース４２が接続されていない場合には、警告表示をしたり、警報音を発したりして、警報動作を行わせるように構成してもよい。
【００７７】
この構成によれば、掃除後に、流路用吸引ホース４２を付け忘れて、被処理米の糠埃などの吸引動作が正常に行われないという不具合を発生することを防止することができて、信頼性が向上する。
【００７８】
また、切換接続部４４ｂに接続されたホースが、流路用吸引ホース４２、掃除用ホース４３、または、客室側に接続される客室用吸引ホース４５の何れかであることを検知する検知手段（センサ）を切換接続部４４ｂなどに設け（例えば、流路用吸引ホース４２、掃除用ホース４３、客室用吸引ホース４５の接続部においてそれぞれ異なる位置に凹凸部などを形成し、これらの凹凸位置を検知するセンサを切換接続部４４ｂに設けるなどする）、掃除動作を指示するための手動による指示信号が制御部に入力された際に、掃除用ホース４３または客室用吸引ホース４５が切換接続部４４ｂに接続されていない場合に、制御部５３により警報動作が行われるよう構成してもよい。これによっても、掃除をしようとして、リモコン５４や操作制御盤５２などを操作した際に、警報動作が行われるため、掃除用ホース４３または客室用吸引ホース４５が切換接続部４４ｂに接続されていないことがわかって、信頼性が向上する。
【００７９】
なお、切換接続部４４ｂに単にホースが接続されているかどうかを検知する検知手段を設けて、リモコン５４や操作制御盤５２などを操作した際に、警報動作が行われるよう構成してもよく、これによっても、ホースを接続し忘れた状態を管理者や係員に知らせることができて、信頼性が向上する。
【符号の説明】
【００８０】
１      仕切壁
２      建屋
３      客室
４      機械室
８      投入部
９      石抜機
１０    張込昇降機
１１    精米機
１８    載台
２７    投入部検知センサ
３０    異物除去部
３０ａ  異物除去部本体
３０ｃ  吸気口
３０ｄ  調整吸気口
３９    貯留量検知センサ
４０    集塵装置
４１    掃除機本体（吸引手段）
４２    流路用吸引ホース
４３    掃除用ホース
４４    サイクロン
４４ｂ  切換接続部
４５    客室用吸引ホース
５２    操作制御盤
５３    制御部
５４    リモートコントローラ（リモコン）
５５    表示入力部
【図１】
2014166600.tif 000003
【図２】
2014166600.tif 000004
【図３】
2014166600.tif 000005
【図４】
2014166600.tif 000006
【図５】
2014166600.tif 000007
【図６】
2014166600.tif 000008
【図７】
2014166600.tif 000009
【図８】
2014166600.tif 000010
【図９】
2014166600.tif 000011
【図１０】
2014166600.tif 000012
【図１１】
2014166600.tif 000013
【図１２】
2014166600.tif 000014